(57)【要約】【課題】省スペース化を実現し、空間を有効に活用し無駄を少なくしながら、使い勝手が損なわれていない構成のプリンタを提供する。【解決手段】用紙を収納する用紙収納部と、前記用紙収納部から給紙された用紙に印字する印字部と、上面を部分的に開閉可能な蓋を有し、前記用紙収納部および前記印字部を収納する筐体と、前記筐体を閉じる位置にある前記蓋を、当該位置に留め置くロック状態にするロック部と、前記筐体および前記蓋の上に設けられた表示部と、前記筐体と前記表示部との間に位置して前記筐体と前記表示部とを連結するものであって、前記表示部を前記筐体に対してスイーベル方向に回動自在に支持するスイーベル部と、前記表示部を前記蓋の上から移動させる方向の前記スイーベル部による回動に連動して前記ロック部によるロック状態を解除する連動部と、を備える。【選択図】図１
2018114714.tif 000002
【特許請求の範囲】
【請求項１】
用紙を収納する用紙収納部と、
前記用紙収納部から給紙された用紙に印字する印字部と、
上面を部分的に開閉可能な蓋を有し、前記用紙収納部および前記印字部を収納する筐体と、
前記筐体を閉じる位置にある前記蓋を、当該位置に留め置くロック状態にするロック部と、
前記筐体および前記蓋の上に設けられた表示部と、
前記筐体と前記表示部との間に位置して前記筐体と前記表示部とを連結するものであって、前記表示部を前記筐体に対してスイーベル方向に回動自在に支持するスイーベル部と、
前記表示部を前記蓋の上から移動させる方向の前記スイーベル部による回動に連動して前記ロック部によるロック状態を解除する連動部と、
を備えるプリンタ。
【請求項２】
前記連動部は、前記表示部を前記蓋の上へ戻す方向の前記スイーベル部による回動に際しては、前記ロック部に干渉しない
ことを特徴とする請求項１に記載のプリンタ。
【請求項３】
前記ロック部は、前記蓋又は前記筐体の一方にフックを備え、他方に前記フックが引っかけられる突部を備え、
前記連動部は、前記フックを動かすことにより前記ロック状態を解除する
ことを特徴とする請求項１または２に記載のプリンタ。
【請求項４】
前記連動部によらず前記ロック状態を解除するための解除操作部をさらに備える
ことを特徴とする請求項１〜３のいずれか１つに記載のプリンタ。
【請求項５】
前記筐体は、平面視で左右に二分された一方に前記蓋を有し、
前記蓋は、背面側に回動軸を有し、該回動軸まわりの回動に伴って前記筐体を開閉し、
前記スイーベル部は、前記筐体の平面視で左右に二分された他方と前記表示部とを連結し、
前記連動部は、前記表示部の前記スイーベル部から遠い方の側部を、前記スイーベル部による回動により手前に移動させる動きに連動して、前記ロック状態を解除する
ことを特徴とする請求項１〜４のいずれか１つに記載のプリンタ。
【発明の詳細な説明】
【技術分野】
【０００１】
本発明の実施形態は、プリンタに関する。
【背景技術】
【０００２】
従来、例えばラベルプリンタ等のような、表示部および操作部を備えていて入力操作や印字内容の確認から印字発行まで単体で完了するプリンタがある。ラベルプリンタが備える表示部は、少ない文字数をセグメント表示するだけのものとは異なり、ラベルのレイアウトを確認できる程度に大きい画面を備えている。
【０００３】
ラベルプリンタは、例えばスーパーマーケットなどの小売店舗のバックヤードに据え置かれて使用される。ラベルプリンタに対しても、設置スペースを広く確保しておくことは難しいので、小型化や省スペース化が望まれている。
【０００４】
例えば、先行技術文献に示すような従来のラベルプリンタは、用紙収納部および印字部を内蔵した本体部の上面の蓋が、背面側の回動軸まわりに回動自在であって、回動に伴って本体部を開閉する。このラベルプリンタの表示部は、蓋の上面に取り付けられているので、用紙補充などの際に蓋を開けたときに、蓋とともに表示部が背面側へと移動する。このため、このようなラベルプリンタの使用に際しては、背面側に空間を確保しておく必要がある。
【０００５】
蓋開放時のための空間確保により、設置面積が大きくなってしまう。また、背面側の空間は、蓋を閉めた状態では使用されない空間であるので、普段は活用されない空間を確保することとなり、好ましくない。
【発明の概要】
【発明が解決しようとする課題】
【０００６】
本発明が解決しようとする課題は、省スペース化を実現し、空間を有効に活用し無駄を少なくしながら、使い勝手が損なわれていない構成のプリンタを提供することである。
【課題を解決するための手段】
【０００７】
実施形態のプリンタは、用紙を収納する用紙収納部と、前記用紙収納部から給紙された用紙に印字する印字部と、上面を部分的に開閉可能な蓋を有し、前記用紙収納部および前記印字部を収納する筐体と、前記筐体を閉じる位置にある前記蓋を、当該位置に留め置くロック状態にするロック部と、前記筐体および前記蓋の上に設けられた表示部と、前記筐体と前記表示部との間に位置して前記筐体と前記表示部とを連結するものであって、前記表示部を前記筐体に対してスイーベル方向に回動自在に支持するスイーベル部と、前記表示部を前記蓋の上から移動させる方向の前記スイーベル部による回動に連動して前記ロック部によるロック状態を解除する連動部と、を備える。
【図面の簡単な説明】
【０００８】
【図１】図１は、実施形態のラベルプリンタの外観を示す斜視図である。
【図２】図２は、上カバーおよび前カバーが開放された状態のラベルプリンタの斜視図である。
【図３】図３は、ラベルプリンタの概略平面図である。
【図４】図４は、ラベルプリンタの内部構造を概略的に示す縦断右側面図である。
【図５】図５は、ロック部の構造を示す縦断右側面図である。
【図６】図６は、上カバーの内側のフックの近傍を拡大して示す斜視図である。
【図７】図７は、上方から見たフックの斜視図であって、上カバーの上面外装を除いて示す外観斜視図である。
【図８】図８は、連動部と、連動部の動作に関係する各部とを模式的に示した平面図である。
【図９】図９は、連動部の構造を示す斜視図である。
【図１０】図１０は、上カバーを閉じた状態を示すラベルプリンタの斜視図である。
【図１１】図１１は、図１０に示す状態から表示操作部を上カバーの上へ戻す方向にスイーベルさせた場合の連動部の動きを説明する概略平面図である。
【発明を実施するための形態】
【０００９】
（第１の実施形態）
実施形態について図面を用いて説明する。図１は、ラベルプリンタ１の外観を示す斜視図である。ラベルプリンタ１は、プリンタの一例である。ラベルプリンタ１は、本体部１００と、表示操作部２００とを備える。
【００１０】
表示操作部２００は、表示部２１０および操作部２２０を備えている。表示部２１０は、例えばＬＣＤ（liquid  crystal  display）であって、画像や文字で操作者に情報を示す。操作部２２０は、キーボード２２１およびタッチパネル２２２を備えている。タッチパネル２２２は、表示部２１０の表面に重ねて設けられていて、表示部２１０の表示内容に応じた操作を受け付ける。キーボード２２１は、複数の押しボタン（キー）を備えている。
【００１１】
本体部１００は、ほぼ直方体の筐体１１０を備えている。筐体１１０は、各部を収納する箱状の容器である。筐体１１０は、ベース部１１１、上カバー１１２、および前カバー１１３を備えている。
【００１２】
図２は、上カバー１１２および前カバー１１３が開放された状態のラベルプリンタ１の斜視図である。この図が示すように、筐体１１０は、本体部１００を構成する用紙収納部１２０や印字部１３０、台紙巻取部１４０、制御部１５０等を収納する。制御部１５０は、表示操作部２００等の各部を制御するものであって、基板等で構成されている。
【００１３】
ベース部１１１は、筐体１１０を構成するもののうち、上カバー１１２および前カバー１１３以外の部分である。ベース部１１１は、平面視において左右に二分されていて、片側（本実施形態では右側部分）がもう片側（左側部分）よりも大きい。ベース部１１１の左側部分と右側部分とは、壁１１４で隔てられている。
【００１４】
上カバー１１２は、筐体１１０の壁１１４で分けられた片側（本実施形態では右側部分）の上面を構成する。つまり、上カバー１１２は、筐体１１０の上面を部分的に開閉する蓋である。上カバー１１２は、概ね長方形状の外形を有し、奥側の短辺を、ベース部１１１の右側部分の背面側の上端部に、回動自在に取り付けられている。上カバー１１２の回動の中心となる軸を回動軸１１２ａとして図に示す。上カバー１１２は、回動に伴って、筐体１１０を開放する位置（開放位置）と閉塞する位置（閉塞位置）との間で移動する。筐体１１０は、上カバー１１２の回動に伴って、開閉される。
【００１５】
前カバー１１３は、筐体１１０の壁１１４で分けられた片側（本実施形態では右側部分）の前面を構成する。つまり、前カバー１１３は、筐体１１０の前面を部分的に開閉する扉である。前カバー１１３は、概ね正方形状の外形を有し、下辺を、ベース部１１１の右側部分の手前側の下端部に、回動自在に取り付けられている。前カバー１１３の回動の中心となる軸を回動軸１１３ａとして図に示す。前カバー１１３は、回動に伴って、筐体１１０を開放する位置（開放位置）と閉塞する位置（閉塞位置）との間で移動する。筐体１１０は、前カバー１１３の回動に伴って、開閉される。
【００１６】
用紙収納部１２０や印字部１３０、台紙巻取部１４０は、筐体１１０の上カバー１１２で開閉される側（本実施形態では右側部分）に設けられている。制御部１５０は、上カバー１１２や前カバー１１３を開けても開放されない、壁１１４で隔てられた側（本実施形態では左側部分）に収納されている。
【００１７】
用紙収納部１２０は、ロール紙を収納する。用紙収納部１２０は、ロール紙の巻き中心に通す軸１２１と、ロール紙の両側端を押さえる一対の側板１２２と、を備えている。
【００１８】
ロール紙は、用紙を巻いたものである。用紙は、例えば、ラベルロールや台紙なしラベル、レシート用紙などである。ラベルロールは、帯状の台紙にラベルが並べて貼付されたものである。ラベルは、所定サイズの紙片の片面が印字面であって、印字面の裏面に粘着剤層が設けられたものである。台紙なしラベルは、帯状のラベルが台紙なしで巻かれたものである。レシート用紙は、帯状の用紙である。
【００１９】
印字部１３０は、用紙収納部１２０から給紙された用紙に印字する。印字部１３０は、印字ヘッド１３１およびプラテンローラ１３２を備えている。印字ヘッド１３１は例えばサーマルヘッドであって、感熱紙の印字面が備える発色剤を発色させる熱を発する。プラテンローラ１３２は、表層部に弾性を有するローラであって、印字ヘッド１３１に用紙（ラベルやレシート用紙）を押し当てながら回転して用紙を搬送する。印字ヘッド１３１は、上カバー１１２の内側面に取り付けられている。プラテンローラ１３２は、ベース部１１１に設けられている。
【００２０】
印字部１３０が印字した用紙は、筐体１１０の前面に設けられた発行口１１５（図１参照）から排出される。発行口１１５は、上カバー１１２および前カバー１１３がともに筐体１１０を閉じる位置にあるときに、上カバー１１２の移動端と前カバー１１３の移動端との間に、形成される。前カバー１１３は、上端部の中央部に、両側端部よりも一段下げられた凹部１１３ｂを有している。この凹部１１３ｂと、上カバー１１２の前端部１１２ｂとにより、発行口１１５は形成される。
【００２１】
台紙巻取部１４０は、用紙収納部１２０がラベルロールを収納している場合に、ラベルが剥離された後の台紙を巻き取る。台紙巻取部１４０は、台紙の先端部を保持して巻き中心となる巻取軸１４１と、台紙の側端を規制する側板１４２と、を備えている。
【００２２】
台紙巻取部１４０は、前カバー１１３の内側の面に取り付けられていて、前カバー１１３の開放に伴って筐体１１０の外に出てくる。前カバー１１３が閉じられている状態では、印字部１３０の下側に位置する。
【００２３】
ここで、ラベルプリンタ１は、スイーベル部３００をさらに備えている。表示操作部２００は、向かって左側の下端部を、スイーベル部３００によって、本体部１００の左側部分の上面に、連結されている。スイーベル部３００は、表示操作部２００を、スイーベル方向に回動自在に、支持している。
【００２４】
図３は、ラベルプリンタ１の概略平面図である。表示操作部２００は、図１に示すような向きの操作受付状態であると、上カバー１１２の上方に位置するので、上カバー１１２を開放することができない。そこで、上カバー１１２を開放するためには、表示操作部２００が上カバー１１２の移動を妨げない位置へ移動（スイーベル）される必要がある。このときのスイーベル方向は、図３に示す矢印Ａの方向である。
【００２５】
本実施形態のラベルプリンタ１は、表示操作部２００が矢印Ａで示す方向へスイーベルされて所定位置へ至ると、このときのスイーベルに伴って上カバー１１２が開放される構造とされている。この構造について以下に説明する。
【００２６】
図４は、ラベルプリンタ１の内部構造を概略的に示す縦断右側面図である。上カバー１１２は、筐体１１０がさらに備える第１付勢部により、筐体１１０を開放する方向に付勢されている。第１付勢部としては、例えば、トーションばねや板ばね、弦巻ばね等のばね部材がある。
【００２７】
本体部１００はさらに、ロック部４００を備えている。ロック部４００は、オペレータの操作により施開錠する。ロック部４００は、施錠状態のとき、第１付勢部の付勢力に抗して上カバー１１２を閉塞位置に留め置いて、筐体１１０をロック状態にする。ロック部４００が開錠状態のとき、上カバー１１２は、第１付勢部の付勢力により、筐体１１０を開放する方向（図４中に矢印で示す時計回り方向）に動く。
【００２８】
図５は、ロック部４００の構造を示す縦断右側面図である。ロック部４００は、ラベルプリンタ１の幅方向両側（左右）に設けられている。ロック部４００は、フック４１０、突部４２０、回動軸４３０を備えている。図６は、上カバー１１２の内側のフック４１０の近傍を拡大して示す斜視図である。フック４１０および回動軸４３０は、上カバー１１２の内側に設けられている。突部４２０は、ベース部１１１に設けられている。
【００２９】
フック４１０は、一端部に鉤形状４１１を有し、他端部を回動軸４３０によって回動自在に支持されている。突部４２０は、例えば、短い軸形状を有し、軸方向をラベルプリンタ１の幅方向に一致させている。
【００３０】
また、ロック部４００は、第２付勢部を備えている。第２付勢部としては、例えば、板ばねやトーションばね等のばね部材がある。第２付勢部は、フック４１０を、図４に示す矢印Ｂの方向に付勢する。この方向は、鉤形状４１１を突部４２０に引っかける方向である。突部４２０に鉤形状４１１が引っかかることによって、上カバー１１２が閉塞位置に留め置かれる（ロック状態）。
【００３１】
図５に戻り、フック４１０は、鉤形状４１１の外側に、案内面４１１ａを有している。案内面４１１ａは、上カバー１１２を閉じる方向に対して斜めを向いている。案内面４１１ａは、上カバー１１２が開放位置から閉塞位置へ向かって回動されたときに突部４２０に接する。さらに上カバー１１２が回動されると、突部４２０に案内面４１１ａが摺動することにより、フック４１０が、第２付勢部の付勢に抗して回動軸４３０回りに回動する。このときの回動の方向は、図４の矢印Ｂの逆方向である。さらに上カバー１１２が回動されて突部４２０が案内面４１１ａの終端を超えると、フック４１０が第２付勢部の付勢により矢印Ｂ方向に回動して、鉤形状４１１が突部４２０に引っかかる。
【００３２】
図７は、上方から見たフック４１０の斜視図であって、上カバー１１２の上面外装１１２０（図５参照）を除いて示す外観斜視図である。フック４１０は、一方の側端部に突起４１２を、他方の側端部にレバー４１３を、備えている。また、フック４１０は、長手方向をラベルプリンタ１の幅方向に沿わせた長方形状の平面部４１４を有している。
【００３３】
回動軸４３０は、平面部４１４の長手方向に平行であって、平面部４１４の短手方向の中央部を通っている。突起４１２は、平面部４１４の上面から上へ突出している。レバー４１３は、平面部４１４を長手方向に延長する方向へ突出している。また、突起４１２およびレバー４１３は、回動軸４３０からずれた位置に設けられている。
【００３４】
上述のような位置関係により、突起４１２が、ラベルプリンタ１の後ろから前へ向かう力を受けると、フック４１０が回動して突部４２０との引っかかり（ロック状態）が解除される。また、レバー４１３が、上から下へ向かう力を受けると、同様にフック４１０が回動する。なお、レバー４１３には、上カバー１１２に設けられた押しボタン４４０（図５参照）の下端部４４１が接している。押しボタン４４０が押されると、フック４１０が回動する。この押しボタン４４０は、解除操作部の一例である。
【００３５】
ラベルプリンタ１は、連動部５００をさらに備えている。図８は、連動部５００と、連動部５００の動作に関係する各部とを模式的に示した平面図である。図９は、連動部５００の構造を示す斜視図である。
【００３６】
連動部５００は、表示操作部２００に加えるスイーベル動作に連動して、ロック部４００によるロック状態を解除する。連動部５００は、回動部５１０と押圧部５２０とを備えている。回動部５１０は、スイーベル部３００内に設けられていて、表示操作部２００のスイーベルに伴って回動する。押圧部５２０は、スイーベル時に、スイーベル動作に伴って、突部４２０を、ロック状態を解除する方向に押圧するものである。
【００３７】
回動部５１０は、概ね円盤状の部材であって、円盤の中心が、スイーベル部３００の回動軸に一致する。押圧部５２０は、回動部５１０の外周の一部に設けられている。押圧部５２０は、押材５２１、軸５２２、付勢部材５２３、ストッパー５２４、弾性部材５２５、押し当て部５２６、板ばね部５２７、および切欠き５２８を備えている。
【００３８】
ストッパー５２４は、回動部５１０の外周のある箇所から接線方向の一方向へ延びた形状であって、回動部５１０の面と同一平面にある面５２４ａと、この面５２４ａに直交する面５２４ｂと、を備えている。弾性部材５２５は、面５２４ｂに貼付されている。
【００３９】
押材５２１は、棒状の部材である。押材５２１は、一端部を、軸５２２により、ストッパー５２４の根本であって回動部５１０の外周部である位置に、回動自在に取り付けられている。また、押材５２１は、ストッパー５２４の弾性部材５２５が貼付された側に設けられている。
【００４０】
本実施形態の付勢部材５２３はトーションばねである。付勢部材５２３として他には、例えば、板ばね等のばね部材がある。
【００４１】
板ばね部５２７は、回動部５１０の外周の一部が外側へ延びた形状であって、回動部５１０と同一平面に位置する。切欠き５２８は、板ばね部５２７と回動部５１０との間に位置して、板ばね部５２７と回動部５１０とを分けて板ばね部５２７に弾性を持たせている。
【００４２】
押し当て部５２６は、板ばね部５２７の先端部に設けられた、板ばね部５２７に直交する小さな平面部である。押し当て部５２６は、ストッパー５２４との間に、押材５２１を挟む位置に位置している。
【００４３】
付勢部材５２３の一端部は、押し当て部５２６に取り付けられていて、他端部は、押材５２１に取り付けられている。これにより、付勢部材５２３は、押材５２１を、弾性部材５２５へ押し付ける方向に付勢する。
【００４４】
このような構成の連動部５００は、表示操作部２００が矢印Ａ（図３参照）に示す方向へスイーベルされるとき、上カバー１１２を開放させるよう動作する。この動作について、図８を参照して説明する。
【００４５】
まず、回動部５１０は、表示操作部２００のスイーベルに伴って回動する。回動部５１０が図８（ａ）に示す矢印Ａ２方向に回動するとき、ストッパー５２４が押材５２１を押圧する。
【００４６】
ここで、図８（ａ）は、表示操作部２００がラベルプリンタ１の正面を向いている状態を示す。この状態から、矢印Ａ２が示す方向に表示操作部２００がスイーベルされて、図８（ｂ）に示す状態になるまでは、連動部５００は上カバー１１２に対して作用しない。
【００４７】
図８（ｂ）に示す状態からさらに、矢印Ａ３が示す方向に表示操作部２００がスイーベルされると、押材５２１が突起４１２に干渉する。この動きにより、押材５２１は、突起４１２に、ラベルプリンタ１の後ろから前へ向かう力を加え、これにより、フック４１０が回動して突部４２０との引っかかりが解除され、上カバー１１２が開放される。
【００４８】
用紙収納部１２０の用紙交換や印字部１３０の紙詰まりの対処などに際して、上カバー１１２を開放する必要があるとき、オペレータが、表示操作部２００をスイーベルさせて上カバー１１２に干渉しない位置まで移動させると、この動きに連動して上カバー１１２が開放される。上カバー１１２を閉じるときには、オペレータが、上カバー１１２を閉じる方向へ押し下げる。
【００４９】
図１０は、上カバー１１２を閉じた状態を示すラベルプリンタ１の斜視図である。表示操作部２００のスイーベルによって開放された上カバー１１２を閉じた後の状態から、再度上カバー１１２を開放したい場合には、押しボタン４４０を押し下げる。押しボタン４４０が押下されると、押しボタン４４０の下端部４４１（図５参照）でレバー４１３が押されて、フック４１０が回動してロック状態が解除されて、上カバー１１２が開放される。
【００５０】
図１１は、図１０に示す状態から表示操作部２００を上カバー１１２の上へ戻す方向にスイーベルさせた場合の連動部５００の動きを説明する概略平面図である。ここで、上述の「戻す方向」は、図１１中の矢印ＡＸが示す方向であり、図３中の矢印Ａが示す方向の逆方向である。
【００５１】
表示操作部２００を戻す方向にスイーベルさせると、回動部５１０は、矢印ＡＸが示す方向へ回動する。すると、押材５２１は、突起４１２に触れる。しかしながら、押材５２１は、付勢部材５２３の付勢力に抗してストッパー５２４から離れる方向つまり矢印Ｃが示す方向に回動可能である。これにより、回動部５１０が矢印ＡＸ方向へ回動する際は、押材５２１は先端部を突起４１２の側面４１２ａに摺動させながら移動し、図８（ａ）に示す状態に復帰する。このように、連動部５００は、表示操作部２００を上カバー１１２の上へ戻す際には、ロック部４００に干渉しない。
【００５２】
以上のように、本実施形態では、表示操作部２００を本体部１００と別体に構成した。これにより、本体部１００を開放しても、表示操作部２００が背面側に移動されないようになり、設置面積が縮小（省スペース化）される。
【００５３】
また、本実施形態では、使用中の表示操作部２００は、省スペース化のための配置により、本体部１００を開閉する蓋である上カバー１１２を開放する際の移動軌跡に干渉する。しかしながら、本実施形態では、表示操作部２００が上カバー１１２に干渉しない位置までスイーベル可能に構成し、また、スイーベル動作に伴って上カバー１１２が開放されるように構成した。これにより、上カバー１１２を開放する際の操作手数が増えることなく、使い勝手のよいラベルプリンタ１とすることができる。
【００５４】
なお、上記実施形態では、印字ヘッド１３１が上カバー１１２側に設けられ、プラテンローラ１３２がベース部１１１側に設けられているが、実施にあたっては、印字ヘッド１３１とプラテンローラ１３２との位置が逆であってもよい。
【００５５】
また、上記実施形態では、ロック部４００は、突部４２０がベース部１１１に設けられてそれ以外の部分が上カバー１１２に設けられる構成であるが、実施にあたっては、突部４２０が上カバー１１２に設けられて、他の部分（フック４１０など）がベース部１１１に設けられる構成であってもよい。
【００５６】
さらに、上記実施形態では、押しボタン４４０を上カバー１１２に設けているが、実施にあたっては、押しボタン４４０相当の働きの部品がベース部１１１に設けられていてもよい。
【００５７】
また、上記実施形態では、押しボタン４４０を押し下げることによってロック解除されるよう構成しているが、実施にあたってはこれに限らない。実施にあたっては、押しボタン４４０の押し方向は上から下に限らず、他の押し方向を受けてロック解除に作用するよう構成して構わない。
【００５８】
さらに、上記実施形態では、図１１に示す構造によって、表示操作部２００を戻す方向のスイーベル時に押材５２１と突起４１２との干渉を回避するようにしているが、実施にあたっては、これを他の構造によって実現してもよい。例えば、突起４１２の天面を前側から後ろ側へ上る斜面にして平面部４１４から上下方向に移動自在に構成し、表示操作部２００を戻すスイーベル時に、斜面に摺動する押材５２１で突起４１２が押し下げられて押材５２１が通過するよう構成してもよい。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１    …ラベルプリンタ
１００…本体部
１１０…筐体
１１１…ベース部
１１２…上カバー、１１２０…上面外装、１１２ａ…回動軸、１１２ｂ…前端部
１１３…前カバー、１１３ａ…回動軸、１１３ｂ…凹部
１１４…壁
１１５…発行口
１２０…用紙収納部、１２１…軸、１２２…側板
１３０…印字部、１３１…印字ヘッド、１３２…プラテンローラ
１４０…台紙巻取部、１４１…巻取軸、１４２…側板
１５０…制御部
２００…表示操作部
２１０…表示部
２２０…操作部、２２１…キーボード、２２２…タッチパネル
３００…スイーベル部
４００…ロック部
４１０…フック
４１１…鉤形状、４１１ａ…案内面
４１２…突起、４１２ａ…側面
４１３…レバー
４１４…平面部
４２０…突部
４３０…回動軸
４４０…押しボタン（解除操作部）、４４１…下端部
５００…連動部
５１０…回動部
５２０…押圧部
５２１…押材
５２２…軸
５２３…付勢部材
５２４…ストッパー、５２４ａ…面、５２４ｂ…面
５２５…弾性部材
５２６…押し当て部
５２７…板ばね部
５２８…切欠き
【先行技術文献】
【特許文献】
【００６１】
【特許文献１】特開２００７−１３０９６７号公報
【図１】
2018114714.tif 000003
【図２】
2018114714.tif 000004
【図３】
2018114714.tif 000005
【図４】
2018114714.tif 000006
【図５】
2018114714.tif 000007
【図６】
2018114714.tif 000008
【図７】
2018114714.tif 000009
【図８】
2018114714.tif 000010
【図９】
2018114714.tif 000011
【図１０】
2018114714.tif 000012
【図１１】
2018114714.tif 000013